(57)【要約】【課題】化粧パネルに設けられている吹出口から吹出される空気が、化粧パネルに設けられている吸込グリルから吸い込まれてしまうショートサーキットの発生を抑制する。【解決手段】空気調和装置の室内機は、筐体と、この筐体内設けられた熱交換器と、該熱交換器に室内空気を送風するための送風機と、前記筐体の下面を覆うように天井面に設置された化粧パネルと、この化粧パネルに設けられた吸込グリル及び吹出口を備える。また、前記吹出口は、化粧パネルの一つの辺に、独立して複数並べて設けられ、前記吹出口のそれぞれにはその長手方向の一端側から他端側まで延在する風向板が設けられている。【選択図】図１
2017215091.tif 000002
【特許請求の範囲】
【請求項１】
筐体と、この筐体内設けられた熱交換器と、該熱交換器に室内空気を送風するための送風機と、前記筐体の下面を覆うように天井面に設置された化粧パネルと、この化粧パネルに設けられた吸込グリル及び吹出口を備える空気調和装置の室内機であって、
前記吹出口は、前記化粧パネルの一つの辺に、独立して複数並べて設けられ、
前記吹出口のそれぞれにはその長手方向の一端側から他端側まで延在する風向板が設けられている
ことを特徴とする空気調和機の室内機。
【請求項２】
請求項１に記載の空気調和機の室内機であって、前記吹出口及び前記風向板の形状は略長方形の形状に構成されていることを特徴とする空気調和機の室内機。
【請求項３】
請求項１に記載の空気調和機の室内機であって、前記化粧パネルは、中央に前記吸込グリルを備え、この吸込グリルの周囲の四辺のそれぞれに前記風向板を備える前記吹出口が２つずつ設けられていることを特徴とする空気調和機の室内機。
【請求項４】
請求項３に記載の空気調和機の室内機であって、前記送風機は遠心送風機であり、前記熱交換器は前記遠心送風機の周囲を取り囲むように配置されており、前記遠心送風機から吐出された空気は前記熱交換器を通過して、前記熱交換器内を流れる冷媒と熱交換した後、上部及び外側が前記筐体の内面で形成される吹出流路を通った後、前記吸込グリル周囲の四辺のそれぞれに設けられている前記吹出口から室内に吹出されるように構成されていることを特徴とする空気調和機の室内機。
【請求項５】
請求項３に記載の空気調和機の室内機であって、前記吹出口の形状は、長手方向の二辺が平行であり、前記長手方向の二辺のうち外側の辺が内側の辺よりも長い台形形状に構成され、前記風向板の形状も、前記吹出口の形状に合わせて台形形状に構成されていることを特徴とする空気調和機の室内機。
【請求項６】
請求項３〜５の何れか一項に記載の空気調和機の室内機であって、前記四辺の各辺における２つの吹出口どうしの間隔を、隣り合う二辺の隣接する吹出口との間隔と同等以上の大きさになるように構成していることを特徴とする空気調和機の室内機。
【請求項７】
請求項３〜５の何れか一項に記載の空気調和機の室内機であって、前記化粧パネルの４隅における１つの対角に位置する２つの隅部側に隣接する吹出口の風向板は開き、他の対角に位置する２つの隅部に隣接する吹出口の風向板は閉じるように制御する制御装置を備えることを特徴とする空気調和機の室内機。
【請求項８】
請求項７に記載の空気調和機の室内機であって、前記制御装置は、
１つの対角に位置する２つの隅部に隣接する吹出口の風向板は開き、他の対角に位置する２つの隅部に隣接する吹出口の風向板は閉じる制御と、
１つの対角に位置する２つの隅部に隣接する吹出口の風向板は閉じ、他の対角に位置する２つの隅部に隣接する吹出口の風向板は開く制御と、
室内機の各辺に設けられている２つの吹出口を同時に開く制御の３種類の制御を、所定の時間毎に交互に切り替えるように制御することを特徴とする空気調和機の室内機。
【請求項９】
請求項７に記載の空気調和機の室内機であって、前記制御装置は、暖房運転時には、１つの対角に位置する２つの隅部に隣接する吹出口の風向板は閉じ、他の対角に位置する２つの隅部に隣接する吹出口の風向板は開く制御が可能に構成され、冷房運転時には、全ての吹出口の風向板が全閉にならないように制御することを特徴とする空気調和機の室内機。
【発明の詳細な説明】
【技術分野】
【０００１】
本発明は、空気調和機の室内機に関し、特に、筐体内に設けられた送風機により室内の空気を吸い込み、前記送風機の吹き出し側に設けられた熱交換器で前記空気を冷却または加熱した後、前記室内に向けて吹き出すようにした室内機に好適なものである。
【背景技術】
【０００２】
空気調和機は、冷媒が封入された冷媒循環流路に、冷媒を圧縮する圧縮機、冷媒と室内空気を熱交換させる室内熱交換器、冷媒を減圧する膨張弁、冷媒と外気とを熱交換させる室外熱交換器を順次冷媒配管で接続して冷凍サイクルを構成している。
【０００３】
前記室外熱交換器は、この室外熱交換器に外気を送る送風機と共に、室外機の筐体内に格納され、前記室内熱交換器は、この室内熱交換器に室内空気を送る送風機と共に、室内機の筐体内に格納されている。
【０００４】
前記室内機は、据付場所に対応して様々な形態のものがあるが、近年、特に業務用空調機の分野では、室内機の本体を天井内に埋め込み、天井面に設置された化粧パネルを介して空気の吸い込み、吹き出しを行う、いわゆる天井埋込カセットタイプが主流となっている。
【０００５】
この天井埋込カセットタイプの従来の空気調和機の室内機の一例を図６、図７に示す。図６は従来の室内機の縦断面図、図７は図６の室内機を下方から見た平面図である。これらの図を用いて、従来の室内機の構成を説明する。  
図６において、室内機１は、天井内に埋め込まれた筐体２、この筐体２内設けられた熱交換器（室内熱交換器）３、この熱交換器３に室内空気を送風するための遠心送風機（送風機）４、前記筐体の下面を覆うように天井面に設置された化粧パネル５などを主な構成要素として構成されている。
【０００６】
前記化粧パネル５は、中央に吸込グリル６を備え、この吸込グリル６の周囲の四辺に、風向板７を備えた吹出口８が設けられている。９は前記吸込グリル６の背面（筐体内面側）に設置されたフィルタである。前記吸込グリル６は前記フィルタ９と共に前記化粧パネル５から着脱可能に構成されており、フィルタ９の清掃等を容易にできる構成となっている。
【０００７】
前記筐体２内に設けられている前記遠心送風機４は、遠心ファン４ａと、この遠心ファン４ａを、シャフトを介して回転させるためのモータ４ｂを備えている。また、前記筐体２内には、前記遠心ファン４ａ入口側に設けられ吸込空気をガイドするベルマウス１０、このベルマウス１０の下面外周側に設けられ、前記遠心送風機４の制御など、室内機１の運転を制御するために必要な制御基板を収納した電気品箱１１、前記熱交換器３の下面を覆うように設置されているドレンパン１２なども設けられている。
【０００８】
前記ドレンパン１２は、冷房時に前記熱交換器３に生じる結露水を受けるためのものである。  
前記電気品箱１１は、前記吸込グリル６を開けることにより、容易にメンテナンスが可能な構造となっている。
【０００９】
前記ベルマウス１０は、前記ドレンパン１２の内周部に下方から取付けられているので、前記吸込グリル６を開け、前記ベルマウス１０を取り外すことにより、前記遠心ファン４ａやモータ４ｂの交換などのメンテナンスを容易に行える構造となっている。
【００１０】
前記モータ４ｂを運転することにより、前記遠心ファン４ａが回転し、図６の矢印で示す空気流れ１３に示すように、室内空気は、前記吸込グリル６、前記フィルタ９、前記筐体２内に設置された前記ベルマウス１０を通り、前記遠心ファン４ａの吸込口から吸い込まれて、矢印で示す空気流れ１４で示すように、前記遠心ファン４ａの吐出口から吐出される。
【００１１】
前記熱交換器３は前記遠心送風機４の周囲を取り囲むように配置されており、前記遠心ファン４ａから吐出された空気は、前記室内熱交換器３を通過して、熱交換器内を流れる冷媒と熱交換した後、矢印で示す空気流れ１５で示すように、上部及び外側が筐体２の内面で形成される吹出流路１６を通った後、前記吹出口８から室内に吹出される構成となっている。
【００１２】
次に、図７を用いて、化粧パネル５の吹出口８から吹出される空気（冷媒と熱交換された空調空気）の流れを説明する。なお、図６と同一符号を付した部分は同一部分である。
図７において、室内機１の前記筐体２は化粧パネル５に隠れており、破線でその外形が示されている。前記化粧パネル５の中央には前記吸込グリル６が設けられ、この吸込グリル６の周囲に、風向板７（７ａ〜７ｄ）を備えた吹出口８（８ａ〜８ｄ）が設けられている。この図７に示すように、前記室内機１は四方向吹出し型となっており、前記風向板７及び前記吹出口８は、前記吸込グリル６周囲の化粧パネル５の四辺に一つずつ配置されている。
【００１３】
室内機１を運転すると、前記熱交換器３を通過した空気は、前記吹出口８が存在しない筐体２内の隅部で、その圧力が高くなるので、吹出口８に向けて空気の流れが押されることになり、このため各吹出口８ａ〜８ｄから吹出される吹出し空気の風速分布は、それぞれ１７ａ〜１７ｄで示すように、各吹出口８ａ〜８ｄにおける中央部の速度が大きくなり、各吹出口の両端部の速度は小さくなるという速度分布になる。  
このため、冷媒と熱交換された空調空気は、化粧パネル５の各辺の中央方向に多く流れ、化粧パネル５の隅部周辺には流れ難いという課題があった。
【００１４】
このような課題を解決するための従来技術としては、例えば特開２０１１−６９５９３号公報（特許文献１）に記載されたものがある。この特許文献１のものでは、化粧パネルの各辺に風向板を備えた吹出口を２つずつ設け、各辺にそれぞれ設けた二つの吹出口の風向板の角度を異ならせることで、空気を撹拌させるようにしている。
【先行技術文献】
【特許文献】
【００１５】
【特許文献１】特開２０１１−６９５９３号
【発明の概要】
【発明が解決しようとする課題】
【００１６】
しかし、上記特許文献１に記載の空気調和機では、各吹出口が長手方向の外端部において曲げられた形状となっており、前記風向板は、吹出口の長手方向の内端部から前記外端部の曲げられた部分までのみ設けられ、曲げられた部分から外側には前記風向板は設けられていない。このため前記外端部の風向を変えることはできず、特に、風量が低い場合には、前記外端部から吹出された空気が、吸込グリルから吸い込まれてしまうという、いわゆるショートサーキットの発生を抑制できないという課題があった。
【００１７】
本発明の目的は、化粧パネルに設けられている吹出口から吹出される空気が、化粧パネルに設けられている吸込グリルから吸い込まれてしまうショートサーキットの発生を抑制することのできる空気調和機の室内機を得ることにある。
【課題を解決するための手段】
【００１８】
上記目的を達成するため、本発明は、筐体と、この筐体内設けられた熱交換器と、該熱交換器に室内空気を送風するための送風機と、前記筐体の下面を覆うように天井面に設置された化粧パネルと、この化粧パネルに設けられた吸込グリル及び吹出口を備える空気調和装置の室内機であって、前記吹出口は、前記化粧パネルの一つの辺に、独立して複数並べて設けられ、前記吹出口のそれぞれにはその長手方向の一端側から他端側まで延在する風向板が設けられていることを特徴とする。
【発明の効果】
【００１９】
本発明によれば、化粧パネルに設けられている吹出口から吹出される空気が、化粧パネルに設けられている吸込グリルから吸い込まれてしまうショートサーキットの発生を抑制することのできる空気調和機の室内機を得ることができるという効果がある。
【図面の簡単な説明】
【００２０】
【図１】本発明の実施例１を示す空気調和機の室内機の平面図。
【図２】本発明の実施例２を示す空気調和機の室内機の平面図。
【図３】本発明の実施例３を示す空気調和機の室内機の平面図。
【図４】図３に示す室内機におけるIV−IV線矢視断面図。
【図５】図３に示す室内機におけるＶ−Ｖ線矢視断面図。
【図６】従来の空気調和機の室内機の一例を示す縦断面図。
【図７】図６に示す室内機の平面図。
【発明を実施するための形態】
【００２１】
以下、本発明の空気調和機の室内機の具体的実施例を、図面を用いて説明する。各図において、同一符号を付した部分は同一或いは相当する部分である。
【実施例１】
【００２２】
本発明の空気調和機の室内機の実施例１を、図１を用いて説明する。図１は本実施例１の空気調和機の室内機を下方から見た平面図であり、この図１において、上述した図６及び図７と同一符号を付した部分は同一或いは相当する部分であり、同一部分についての説明は省略する。従って、本実施例１の室内機の説明で、説明が省略されている部分については、図６及び図７に示したものと同様の構成になっている。
【００２３】
図１に示す本実施例１の空気調和機の室内機は、図６及び図７に示す従来の室内機に対し、吹出口と、この吹出口に設けられている風向板の構成を除いて、ほぼ同様の構成となっているので、本実施例１の説明においては、吹出口と風向板の構成を中心に説明する。
【００２４】
本実施例においては、化粧パネル５の中央に設けられている吸込グリル６の周囲の各辺（四辺）に吹出口８を２つずつ、各辺の長手方向に並んで備えられている。各辺に２つずつ設けられている吹出口８（８ａ１と８ａ２、８ｂ１と８ｂ２、８ｃ１と８ｃ２、８ｄ１と８ｄ２）は、それぞれ独立して所定の間隔を設けて配置されており、互いに接するようには構成されていない。また、各吹出口８には、その長手方向の全体にわたり（一端側から他端側まで延在して）、風向板７（７ａ１，７ａ２、７ｂ１，７ｂ２、７ｃ１，７ｃ２、７ｄ１，７ｄ２）が設けられている。
【００２５】
本実施例１においては、前記各吹出口８の形状は、略長方形に形成されており、また、前記各風向板７の形状も略長方形に形成されている。  
更に、本実施例においては、室内機の四辺の各辺における２つの吹出口（例えば吹出口８ａ１と８ａ２）どうしの間隔（距離Ａ）を、隣り合う二辺における隣り合う吹出口（例えば、吹出口８ａ１と８ｄ２）との間隔（距離Ｂ）と同等以上の大きさとなるように構成している。このように前記距離Ａを十分に確保することにより、吸込グリル６に吸い込まれる空気の吸込流路を十分に確保でき、これによりショートサーキットを抑制することができる。また、前記距離Ａを十分に確保して各辺の２つの吹出口８を、化粧パネル５のより隅部側に配置することにより、より広くより均一に空気を吹き出すことができる。
【００２６】
なお、前記距離Ａを大きくし過ぎると吹出口８の面積（吹出口面積）が小さくなるので、前記距離Ａは、ショートサーキットを抑制できる範囲で、最大限小さくすることが好ましい。また、前記化粧パネルの四隅側から吸込グリル６に吸い込まれる空気の吸込流路も十分に確保するためには、前記距離Ｂも小さくし過ぎないように構成すると良い。
【００２７】
図１における破線２は、化粧パネル５に隠れた筐体２の外形を示している。また、図１において、上記のように、吹出口８及び風向板７を、前記四辺の各辺に対し、それぞれａ，ｂ，ｃ，ｄの記号を付して区別し、また各辺にそれぞれ並設して設けられている２つの吹出口と各吹出口に設けられている２つの風向板をそれぞれ区別するために、各符号の末尾に、更に１，２の記号を付した符号として、各吹出口及び各風向板を区別している。
【００２８】
図１に示すように構成されている本実施例１の空気調和機の室内機１において、空気調和機を運転すると、それぞれの吹出口８ａ１〜８ｄ２の長手方向外側の部分における前記筐体２内では、熱交換器３（図６等参照）を通過した空気が直接化粧パネル５から室内に吹出すことができないため、圧力が上がる。このため、各吹出口８ａ１〜８ｄ２から吹出される空気は、前記各吹出口８ａ１〜８ｄ２の両側から各吹出口の中央に向けて押されることになる。従って、図１の１７ａ１〜１７ｄ２に示す風速分布のように、それぞれの吹出口８ａ１〜８ｄ２の中央側で速度がより大きくなり、各吹出口の端部側では速度が小さくなる風速分布となる。即ち、室内機１の各辺において、吹出し空気の速度が大きくなる部分がそれぞれ２箇所、間隔をおいて存在することになり、各辺に吹出口が１つのみ設けられている従来の室内機に比較し、より広くより均一に空気を吹き出すことができる。
【００２９】
また、本実施例においては、前記各風向板７ａ１〜７ｄ２は、前記各吹出口８ａ１〜８ｄ２の長手方向全体に渡って設けられており、このため、前記各吹出口８ａ１〜８ｄ２の端部側においても、前記各風向板に７ａ１〜７ｄ２により、空気の吹出し方向を制御できるため、前記各吹出口８ａ１〜８ｄ２の端部側から吹出される空気が、直接、前記吸込グリル６に流れてしまうショートサーキットを防止することができる。  
なお、本実施例１において、各辺に設けられている２つの前記風向板７（７ａ１と７ａ２、７ｂ１と７ｂ２、７ｃ１と７ｃ２、７ｄ１と７ｄ２）は、１つのモータで、同じ傾斜角度になるように制御される。または、各風向板７毎に個別にモータを備える構成にして、前記各風向板７の傾斜角度をそれぞれ独立に制御可能に構成しても良い。或いは、１つのモータに対して電磁クラッチを介して各辺に設けられている２つの風向板７を接続することにより、１つのモータにより、前記２つの風向板７の傾斜角度をそれぞれ独立に制御するように構成することもできる。
【００３０】
前記各風向板７を駆動するためのモータは、室内機１の各辺に２つずつ設けられている前記吹出口８（８ａ１と８ａ２、８ｂ１と８ｂ２、８ｃ１と８ｃ２、８ｄ１と８ｄ２）の間の前記化粧パネル５背面にそれぞれ設けられている。また、前記各風向板７の傾斜角度を制御するために、前記各風向板８を駆動するためのモータ等を制御するための制御装置も電気品箱１１（図６参照）内に設けられている。他の構成については、図６及び図７に示したものと同様の構成になっている。
【実施例２】
【００３１】
次に、本発明の空気調和機の室内機の実施例２を、図２を用いて説明する。図２は本実施例２の空気調和機の室内機を下方から見た平面図であり、この図２において、上述した図１、図６及び図７と同一符号を付した部分は同一或いは相当する部分であり、同一部分についての説明は省略し、上記実施例１と異なる部分を中心に説明する。
【００３２】
本実施例２における空気調和機の室内機が前記実施例１と異なる点は、各吹出口８ａ１〜８ｄ２の形状を、長手方向の二辺が平行で、かつ外側の辺が内側の辺よりも長くなるように、台形形状に構成している点である。また、風向板７ａ１〜７ｄ２についても、前記吹出口８ａ１〜８ｄ２の形状に合わせて台形形状に構成されている。
【００３３】
空気調和機の風量を増やすためには吹出口面積を大きくすることが望ましく、本実施例のように、一辺に２つの吹出口を離して設ける場合、前記吹出口面積を確保するため、各吹出口８の外側の辺を内側の辺よりも長くして、化粧パネル５の隅部側に延長するように構成することが好ましい。
【００３４】
しかし、隣り合う二辺に設けられた隣接する２つの吹出口（例えば８ａ１と８ｄ２）の距離Ｂが小さくなると、従来、この部分（化粧パネル５の４つの隅部）から吸込グリル６に吸い込まれる空気の吸込流路を十分に確保できず、吸い込まれる空気が、吹出口から吹出される吹出し空気に邪魔されて吸込まれ難くなり、ショートサーキットを発生し易くなる。
【００３５】
本実施例２では、前記各吹出口８ａ１〜８ｄ２の形状を、長手方向の辺が平行であり、かつ外側の辺が内側の辺よりも長い台形としているので、前記吹出口面積を確保しつつ、吹出口８ａ１〜８ｄ２の内側の辺は外側の辺よりも短くなるから、隣り合う二辺に設けられた隣接する２つの吹出口（例えば８ａ１と８ｄ２）の距離Ｂをより広く確保することが可能となる。従って、前記距離Ｂをより広く確保して、吸込グリル６に吸い込まれる空気の吸込流路を十分に確保できるから、ショートサーキットを抑制することができる。
【００３６】
同様に、各辺に配置された２つの吹出口（例えば８ａ１と８ａ２）間の距離Ａが近すぎる場合もショートサーキットを生じ易くなるため、各辺における吹出口どうしの距離Ａについても、隣り合う二辺で隣接する吹出口（例えば８ａ１と８ｄ２）との距離Ｂと同程度以上の大きさにすることが好ましい。  
なお、図２に示す例では、隣り合う二辺に設けられた隣接する２つの吹出口（例えば８ａ１と８ｄ２）により化粧パネル５の隅部に形成される吸込グリル６への空気の吸込流路は、吸込グリル６に近い側ほど流路幅が狭くなる構成としているが、台形形状に形成されている前記各吹出口８の外側の辺を内側の辺よりも更に長くすることにより、前記吸込流路の流路幅を一定にすることも可能である。このように構成すれば、前記吸込流路の必要な流路幅を確保しつつ、吹出口８の面積をより拡大することもできる。
【００３７】
本実施例２において、他の構成は、上述した実施例１と同様である。
【実施例３】
【００３８】
次に、本発明の空気調和機の室内機の実施例３を、図３〜図５を用いて説明する。図３は本実施例３の空気調和機の室内機を下方から見た平面図、図４は図３に示す室内機におけるIV−IV線矢視断面図、図５は図３に示す室内機におけるＶ−Ｖ線矢視断面図であり、図４及び図５は図３における吹出口８ｂ１或いは８ｂ２付近の断面図である。これら図３〜図５において、上述した図１、図６及び図７と同一符号を付した部分は同一或いは相当する部分であり、同一部分についての説明は省略し、上記実施例１、２と異なる部分を中心に説明する。
【００３９】
本実施例３における空気調和機の室内機１は、各辺の２つの吹出口８のうち、一方の吹出口（図３に示す吹出口８ａ２、８ｂ１、８ｃ２、８ｄ１）については、図４に示すように、風向板７（図４の例では７ｂ１）を開いて空気を吹き出すように制御する。また、もう一方吹出口（図３に示す吹出口８ａ１、８ｂ２、８ｃ１、８ｄ２）については、図５に示すように、風向板７（図５の例では７ｂ２）を閉じて、吹出口８を塞ぎ、空気を流さないように制御する。
【００４０】
即ち、本実施例においては、図３に示すように、化粧パネル５の四隅における１つの対角に位置する２つの隅部に隣接する吹出口（８ａ２と８ｂ１、８ｃ２と８ｄ１）の風向板（７ａ２と７ｂ１、７ｃ２と７ｄ１）は開き（例えば全開にする）、他の対角に位置する２つの隅部に隣接する吹出口（８ａ１と８ｄ２、８ｂ２と８ｃ１）の風向板（７ａ１と７ｄ２、７ｂ２と７ｃ１）は閉じる（例えば全閉にする）ように、電気品箱１１（図６参照）内に設けられている制御装置により制御するものである。
【００４１】
この時、開いている吹出口８ａ２，８ｂ１，８ｃ２，８ｄ１の反隅部側の端部においては、隣の吹出口８ａ１，８ｂ２，８ｃ１，８ｄ２が閉じられているため圧力が高くなっており、開いている前記吹出口の隅部側の端部においては隣接する吹出口が開いているために圧力が低くなっている。従って、前記吹出口８ａ２，８ｂ１，８ｃ２，８ｄ１から吹出される空気は、より外側（隅部側の方向）に押されるようになり、結果として図３に示す吹出し空気の風速分布１７ａ２，１７ｂ１，１７ｃ２，１７ｄ１のように、化粧パネル５の隅部側の方向に吹出される。  
このように、本実施例によれば、吹出口が設けられていない化粧パネル５の隅部側の方向にも、吹出し空気を吹き出すことが可能となる。
【００４２】
なお、上述した説明では、前記化粧パネル５の四隅における１つの対角に位置する２つの隅部に隣接する吹出口８ａ２，８ｂ１，８ｃ２，８ｄ１の風向板は開き、他の対角に位置する２つの隅部に隣接する吹出口８ａ１，８ｂ２，８ｃ１，８ｄ２の風向板は閉じるように制御しているが、風向板を開くように制御する１つの対角と、風向板を閉じるように制御する他の対角を、所定の時間毎に交互に入れ替えるようにすると良い。このようにすれば、化粧パネル５のそれぞれの対角の方向に順番に吹出し空気を送ることができる。
【００４３】
更に、上記制御に対し、室内機の各辺に設けられている２つの吹出口を同時に開く制御も加えることにより、「１つの対角に位置する２つの隅部に隣接する吹出口８ａ２，８ｂ１，８ｃ２，８ｄ１の風向板は開き、他の対角に位置する２つの隅部に隣接する吹出口８ａ１，８ｂ２，８ｃ１，８ｄ２の風向板は閉じる制御」と、「１つの対角に位置する２つの隅部に隣接する吹出口８ａ２，８ｂ１，８ｃ２，８ｄ１の風向板は閉じ、他の対角に位置する２つの隅部に隣接する吹出口８ａ１，８ｂ２，８ｃ１，８ｄ２の風向板は開く制御」と、「室内機の各辺に設けられている２つの吹出口（８ａ１と８ａ２、８ｂ１と８ｂ２、８ｃ１と８ｃ２、８ｄ１と８ｄ２）を同時に開く制御」の３種類の制御を、所定の時間毎に交互に切り替えるように制御することができる。このように制御すれば、空気調和機の室内機１の全周に吹出し空気を送風することができ、快適性をより向上させることが可能となる。
【００４４】
なお、上述した制御において、前記風向板７ａ１，７ａ２，７ｂ１，７ｂ２，７ｃ１，７ｃ２，７ｄ１，７ｄ２のうちの少なくとも１つを全閉にする制御を、冷房運転時に行うと、全閉にされた風向板７の上側に、熱交換器３で冷却された温度の低い空気がたまり、閉じられた前記風向板７の下側には湿った温度の高い室内空気が接触して、前記風向板で冷やされることにより、前記風向板７には結露が発生し易くなる。そこで、本実施例３における風向板を閉じる制御については、暖房運転時のみに行い、冷房運転時には室内機１の各辺に複数ずつ設けられている吹出口（即ち、全ての吹出口）の風向板を同時に開く制御のみを行わせるようにすることが好ましい。  
本実施例３において、他の構成は、上述した実施例１と同様である。
【００４５】
以上説明した本発明の各実施例によれば、吹出口を、化粧パネルの一つの辺に、独立して複数並べて設け、前記各吹出口には、その長手方向の一端側から他端側までの全体にわたって延在する風向板を設けているので、前記吹出口から吹出される空気の風速分布を改善して、より広く、より均一に空気を吹出すことができる。また、吹出し空気が、化粧パネルに設けられている吸込グリルから吸い込まれてしまうショートサーキットの発生も抑制できる空気調和機の室内機を得ることができる効果がある。
【００４６】
なお、本発明は上記した実施例に限定されるものではなく、様々な変形例が含まれる。例えば、上記実施例では室内機として四方向吹出し型に本発明を適用した例を説明したが、本発明は、四方向吹出し型の室内機に限定されるものではなく、二方向や一方向吹出し型の室内機にも同様に適用できるものである。  
また、ある実施例の構成の一部を他の実施例の構成に置き換えることが可能であり、ある実施例の構成に他の実施例の構成を加えることも可能である。更に、上記した実施例は本発明を分かり易く説明するために詳細に説明したものであり、必ずしも説明した全ての構成を備えるものに限定されるものではない。
【符号の説明】
【００４７】
１：室内機、２：筐体、３：熱交換器（室内熱交換器）、
４：遠心送風機（送風機）、４ａ：遠心ファン、４ｂ：モータ、
５：化粧パネル、６：吸込グリル、
７，７ａ〜７ｄ，７ａ１，７ａ２、７ｂ１，７ｂ２，７ｃ１，７ｃ２、７ｄ１，７ｄ２：風向板、
８，８ａ〜８ｄ，８ａ１，８ａ２，８ｂ１，８ｂ２，８ｃ１，８ｃ２，８ｄ１，８ｄ２：吹出口、
９：フィルタ、１０：ベルマウス、１１：電気品箱、１２：ドレンパン、
１３，１４，１５：空気流れ、１６：吹出流路、
１７ａ〜１７ｄ、１７ａ１，１７ａ２，１７ｂ１，１７ｂ２，１７ｃ１，１７ｃ２，１７ｄ１，１７ｄ２：吹出し空気の風速分布。
【図１】
2017215091.tif 000003
【図２】
2017215091.tif 000004
【図３】
2017215091.tif 000005
【図４】
2017215091.tif 000006
【図５】
2017215091.tif 000007
【図６】
2017215091.tif 000008
【図７】
2017215091.tif 000009